(57)【特許請求の範囲】
【請求項１】
被写体を撮像して画像信号を生成する撮像装置において、
被写体光を受光して表示用画像信号を繰り返し生成するとともに撮影指示を受けて記録用画像信号を生成する撮像部と、
上記撮像部により生成された表示用画像信号に対してガンマカーブを用いて第２の表示用画像信号を作成する表示制御部と、
上記表示制御部の出力する第２の表示用画像信号に基づきライブビュー画像を表示する表示部と、
上記表示部の消費電流を検出する電源制御部と、
外光の輝度を検出して、外光輝度が所定輝度以上であるかを判定する外光輝度判定部と、
を有し、
上記表示制御部は、上記外光輝度判定部により外光輝度が上記所定輝度以上と判定され、かつ上記電源制御部により検出された上記表示部の消費電流が所定値以下と判定された場合は、上記撮像部により生成された表示用画像信号に対して上記ガンマカーブを出力階調が大きくなる方向にオフセットして第２の表示用画像を作成することを特徴とする撮像装置。
【請求項２】
記録画像信号を再生表示する画像再生装置において、
上記画像信号を記録している記録部と、
上記記録部の出力する表示用画像信号に対してガンマカーブを用いて第２の表示用画像信号を作成する表示制御部と、
上記表示制御部の出力する第２の表示用画像信号に基づき再生画像を表示する表示部と、
外光の輝度を検出して、外光輝度が所定輝度以上であるかを判定する外光輝度判定部と、
を有し、
上記表示部の消費電流を検出する電源制御部と、
上記表示制御部は、上記外光輝度判定部により外光輝度が上記所定輝度以上と判定され、かつ上記電源制御部により検出された上記表示部の消費電流が所定値以下と判定された場合は、上記記録部により出力された表示用画像信号に対して上記ガンマカーブを出力階調が大きくなる方向にオフセットして第２の表示用画像を作成することを特徴とする画像再生装置。
【発明の詳細な説明】
【技術分野】
【０００１】
本発明は、撮像装置および画像再生装置に関し、詳しくは、撮像した画像を表示する画像表示部を有する撮像装置および画像再生装置に関する。
【背景技術】
【０００２】
液晶ディスプレイ（ＬＣＤ（Liquid Crystal Display）と称す）等のディスプレイに画像を表示する画像表示部を備え、撮影する画像を確認できる撮像装置が知られている。このような撮像装置では、屋外など外光輝度が高い状況で撮影を行う場合、表示部上では撮影画像の視認性が低下してしまい、確認し難いという問題がある。
【０００３】
このような問題を解決するために、特許文献１には、周囲の外光輝度が高い場合に、ＬＣＤのバックライトの輝度を高くするようにした撮像装置が提案されている。また、特許文献２には、周囲の外光輝度が高い場合に、中間階調領域の階調特性を持ちあげて視認性を向上させる携帯機器が提案されている。
【先行技術文献】
【特許文献】
【０００４】
【特許文献１】特開平８−２４２３９８号公報
【特許文献２】特開２００５−３２３１７５号公報
【発明の概要】
【発明が解決しようとする課題】
【０００５】
このように外光輝度が高い場合に、画像表示部の視認性を向上させるための提案が種々なされているが、十分とは言い難い。すなわち、特許文献１に開示の撮像装置では、バックライトの輝度を上げることに限界があり、また、特許文献２に開示の携帯装置では、中間階調領域の階調特性を持ちあげることには限界がある。このため、晴天時の屋外のような高輝度の外光の下では、表示部の視認性を改善する効果が小さいという問題がある。
【０００６】
本発明は、このような事情を鑑みてなされたものであり、高輝度時に画像表示部の視認性を向上させることが可能な撮像装置および画像再生装置を提供することを目的とする。
【課題を解決するための手段】
【００１３】
第１の発明に係わる撮像装置は、被写体を撮像して画像信号を生成する撮像装置において、被写体光を受光して表示用画像信号を繰り返し生成するとともに撮影指示を受けて記録用画像信号を生成する撮像部と、上記撮像部により生成された表示用画像信号に対してガンマカーブを用いて第２の表示用画像信号を作成する表示制御部と、上記表示制御部の出力する第２の表示用画像信号に基づきライブビュー画像を表示する表示部と、上記表示部の消費電流を検出する電源制御部と、外光の輝度を検出して、外光輝度が所定輝度以上であるかを判定する外光輝度判定部と、を有し、上記表示制御部は、上記外光輝度判定部により外光輝度が上記所定輝度以上と判定され、かつ上記電源制御部により検出された上記表示部の消費電流が所定値以下と判定された場合は、上記撮像部により生成された表示用画像信号に対して上記ガンマカーブを出力階調が大きくなる方向にオフセットして第２の表示用画像を作成する。
【００２０】
第２の発明に係わる画像再生装置は、記録画像信号を再生表示する画像再生装置において、上記画像信号を記録している記録部と、上記記録部の出力する表示用画像信号に対してガンマカーブを用いて第２の表示用画像信号を作成する表示制御部と、上記表示制御部の出力する第２の表示用画像信号に基づき再生画像を表示する表示部と、外光の輝度を検出して、外光輝度が所定輝度以上であるかを判定する外光輝度判定部と、を有し、上記表示部の消費電流を検出する電源制御部と、上記表示制御部は、上記外光輝度判定部により外光輝度が上記所定輝度以上と判定され、かつ上記電源制御部により検出された上記表示部の消費電流が所定値以下と判定された場合は、上記記録部により出力された表示用画像信号に対して上記ガンマカーブを出力階調が大きくなる方向にオフセットして第２の表示用画像を作成する。
【発明の効果】
【００２１】
本発明によれば、高輝度時に画像表示部の視認性を向上させることが可能な撮像装置および画像再生装置を提供することができる。
【図面の簡単な説明】
【００２２】
【図１】本発明の第１実施形態に係わるカメラの電気系を主とする全体構成を示すブロック図である。
【図２】本発明の第１実施形態に係わるカメラのパワーオン動作を示すフローチャートである。
【図３】本発明の第１実施形態に係わるカメラのライブビュー動作を示すフローチャートである。
【図４】本発明の第１実施形態に係わるカメラの再生動作を示すフローチャートである。
【図５】本発明の第１実施形態に係わるカメラにおけるガンマカーブと、オフセット有りのガンマカーブを示すグラフである。
【図６】本発明の第２実施形態に係わるカメラのライブビュー動作を示すフローチャートである。
【図７】本発明の第２実施形態に係わるカメラの再生動作を示すフローチャートである。
【図８】本発明の第２実施形態に係わるカメラにおいて、画素信号のレベルの一例を示すグラフである。
【図９】本発明の第３実施形態に係わるカメラのライブビュー動作を示すフローチャートである。
【図１０】本発明の第３実施形態に係わるカメラの再生動作を示すフローチャートである。
【図１１】本発明の第４実施形態に係わるカメラのライブビュー動作を示すフローチャートである。
【図１２】本発明の第４実施形態に係わるカメラの再生動作を示すフローチャートである。
【図１３】本発明の第５実施形態に係わるカメラのライブビュー動作を示すフローチャートである。
【図１４】本発明の第５実施形態に係わるカメラの再生動作を示すフローチャートである。
【図１５】本発明の第６実施形態に係わるカメラの電気系を主とする全体構成を示すブロック図である。
【図１６】本発明の第６実施形態に係わるカメラのライブビュー動作を示すフローチャートである。
【図１７】本発明の第６実施形態に係わるカメラの再生動作を示すフローチャートである。
【発明を実施するための形態】
【００２３】
以下、図面に従って本発明を適用したカメラを用いて好ましい実施形態について説明する。本発明の好ましい実施形態に係わるカメラは、デジタルカメラであり、撮像部を有し、この撮像部によって被写体像を画像信号に変換し、この変換された画像信号に基づいて、被写体像を本体の背面に配置した表示部にライブビュー表示する。撮影者はライブビュー表示を観察することにより、構図や撮影タイミングを決定する。シャッタレリーズすると、静止画や動画の画像信号が記録媒体に記録される。再生モードを選択すると、記録媒体に記録された画像信号を読み出し、表示部に画像を再生表示することができる。ライブビュー表示や再生表示の際に、外光輝度を測定し、外光輝度が明るい場合には、表示部に画像を表示する際に、オフセット有りのガンマカーブによってガンマ補正を行う。
【００２４】
図１は、本発明の第１実施形態に係るカメラの電気系を主とする全体構成を示すブロック図である。撮影レンズ１は、被写体像を形成するための複数の光学レンズから構成され、ＡＦ部３によって、ピント調節のためにレンズ駆動される。ＡＦ部３は、後述する撮像センサ９から出力される画像信号の中から高周波成分を抽出し、高周波成分がピークとなるように、撮影レンズ１の位置を調節する。ＡＦ部３のフォーカスエリアは複数、用意されており、ＡＦ部３は、後述する顔検出部１７によって人物の顔が検出されたエリアや、近距離側の被写体が存在するエリア等、選択されたフォーカスエリアの画像信号に基づいて、ピント合わせを行う。
【００２５】
撮影レンズ１の光路上には、絞り５、シャッタ７、および撮像センサ９が配置されている。絞り５は、撮影レンズ１を透過した被写体光束の光量を調節し、絞り駆動機構によって絞り５の開口量が駆動制御される。シャッタ７は、撮影レンズ１を透過した被写体光束の開閉を行い、シャッタ駆動機構によってシャッタ開口時間（シャッタ速度）が制御される。
【００２６】
撮像センサ９は、撮影レンズ１によって結像される被写体像を光電変換し、画像信号を出力する。撮像センサ９としては、ＣＣＤ（Charge Coupled Device）やＣＭＯＳ（Complementary Metal Oxide Semiconductor）等の二次元固体撮像素子を使用できることはいうまでもない。
【００２７】
撮像センサ９は撮像回路１１に接続されている。撮像回路１１は、撮像センサ９から画像信号を読み出し、増幅等の種々の処理を行い、Ａ／Ｄ変換１３に画像信号を出力する。Ａ／Ｄ変換１３は、アナログ信号である画像信号をデジタル信号である画像信号に変換する。
【００２８】
Ａ／Ｄ変換１３の出力は、画像処理部１５に出力される。画像処理部１５は、Ａ／Ｄ変換１３によってＡ／Ｄ変換された画像信号に対して、デジタル的増幅（デジタルゲイン調整処理）、色補正、ガンマ（γ）補正、コントラスト補正、白黒・カラーモード処理、ライブビュー表示用処理といった各種の画像処理を行う。画像処理部１５は、これらの画像処理を利用して、撮像センサ９から出力された画像信号、または後述する記録媒体２５から読み出された画像信号に対して表示用画像信号を生成する。ガンマ補正は、表示用画像信号に対して、予め記憶されているガンマカーブに沿って、入力階調が出力階調となるようにガンマ補正し、これによって画像処理部１５は、第２の表示用画像信号を生成する。本実施形態においては、ガンマカーブは通常のガンマカーブとオフセット有りのガンマカーブがあり、画像処理部５は、システムコントローラ４１からの指示に従って、ガンマ補正を実行する。
【００２９】
顔検出部１７は、画像処理部１５から画像信号を入力し、被写体像の中に顔が含まれているか否かを検出する。この検出の結果、顔が含まれている場合には、その位置や大きさを検出し、画像処理部１５を通じて、検出結果を後述するシステムコントローラ４１に出力する。
【００３０】
バッファメモリ１９は、画像処理部１５から画像信号を入力し、この画像信号を一時記憶する。メニュー画像記録部２１は、メニュー画像を記憶し、システムコントローラ４１からの指示に従ってバッファメモリ１９に出力する。メニュー画像は、記録モード、ホワイトバランス等の種々の設定を行うための画面の画像である。
【００３１】
圧縮伸張部２３は、バッファメモリ１９から画像信号を入力し、ＪＰＥＧ方式やＴＩＦＦ方式等で圧縮する。なお、画像圧縮はＪＰＥＧ方式やＴＩＦＦ方式に限らず、他の圧縮方法も適用できる。記録媒体２５は、圧縮伸張部２３によって圧縮された静止画や動画の画像信号を記録するための記録媒体である。画像信号の記録時には、ＡＦ部３によってピント合わせが実行された際のフォーカスエリアの情報も一緒に記録される。また、記録媒体２５に記録された画像信号は、読み出され、圧縮伸張部２３によって伸張される。
【００３２】
液晶制御部２７には、バッファメモリ１９に一時記憶された画像信号および記録媒体２５に記録され圧縮伸張部２３によって伸張された画像信号が入力される。ＥＶＦ（電子ビューファインダ（Electronic View Finder））２９は、液晶制御部２７に接続されており、画像信号に基づいて、被写体像が表示される。また、ＥＶＦ２９は、接眼部を通して覗き込むことにより液晶画面を観察することができる。
【００３３】
同様に、液晶制御部３１は、バッファメモリ１９に一時記憶された画像信号および記録媒体２５に記録され圧縮伸張部２３によって伸張された画像信号が入力される。ＴＦＴ３３は液晶制御部３１に接続された大画面の液晶パネルであり、カメラの背面等に配置される。ＥＶＦ２９とは異なり、接眼部を通すことなく、ユーザは直接、画面を観察することができる。
【００３４】
外光センサ３５は、ＴＦＴ３３の近傍に配置され、外光の輝度を測定する。操作部３７は、ユーザがカメラに対して各種動作を指示するための操作部材である。操作部３７は、レリーズ釦、モードダイヤル、十字キー、確定キー、パワースイッチ、再生釦等の各種操作部材を含む。操作部３７は、前述の各種操作部材の操作状態を検出し、検出結果をシステムコントローラ４１に出力する。
【００３５】
システムコントローラ４１は、前述のＡＦ部３、絞り５、シャッタ７、撮像センサ９、撮像回路１１、Ａ／Ｄ変換１３、画像処理部１５、メニュー画像記録部２１、圧縮伸張部２３、記録媒体２５、液晶制御部２７、３１、外光センサ３５、操作部３７に接続されている。システムコントローラ４１は、フラッシュメモリ等の不揮発性メモリに記憶されているプログラムに従って処理を実行し、カメラ全体の動作を制御する。
【００３６】
次に、本実施形態における動作について、図２ないし図４に示すフローチャートを用いて説明する。これらのフローチャートは、不揮発性メモリに記憶されたプログラムに基づいて、システムコントローラ４１が実行する。なお、第２乃至第６実施形態におけるフローチャートも、同様に、システムコントローラ４１が実行する。
【００３７】
図２に示すカメラパワーオンのフローはメインフローであり、カメラに電源電池が装填されるとスタートする。動作を開始すると、まず、パワースイッチがオンか否かの判定を行う（Ｓ１）。ここでは、操作部３７の内のパワースイッチのオンオフ状態を検出して判定する。
【００３８】
ステップＳ１における判定の結果、パワースイッチがオンでなかった場合には、スリープ状態に入る（Ｓ３）。スリープ状態は、パワースイッチの操作状態を割り込み処理によって検知する以外の処理を行わない低消費電力モードの状態である。
【００３９】
ステップＳ３におけるスリープ状態において、パワースイッチがオンとなると、または、ステップＳ１における判定の結果、パワースイッチがオンであった場合には、次に、背面パネルをオンし、また各デバイスをオンにする（Ｓ５）。ここでは、ＴＦＴ３３や他の回路（デバイス）等に電源を供給し、動作を開始させる。なお、本実施形態においては、ＴＦＴ３３とＥＶＦ２９は、操作部３７の内の切換操作部材によって切り換えられ、ＴＦＴ３３およびＥＶＦ２９の内のいずれか一方が表示動作を行い、他方は表示動作を行わない。しかし、ＴＦＴ３３およびＥＶＦ２９の表示を同時に行うようにしても、勿論かまわない。
【００４０】
続いて、ライブビュー動作を行う（Ｓ７）。ライブビュー動作は、撮像センサ９によって取得された画像信号を画像処理部１５によってライブビュー表示用画像信号に処理し、この画像信号に基づいて、ＴＦＴ３３でライブビュー表示を行う。ユーザは、ライブビュー表示を観察することにより、構図を決定し、シャッタタイミングを決める。このライブビュー動作において、外光輝度が所定輝度よりも高輝度の場合には、ＴＦＴ３３における表示の際のガンマ補正にあたって、オフセット有りのガンマカーブを用いて行う。このライブビュー動作の詳しい動作については、図３を用いて後述する。
【００４１】
ライブビュー動作を行うと、次に、再生スイッチがオンか否かの判定を行う（Ｓ９）。記録媒体２５に記録された撮影画像を再生表示する場合には、ユーザが再生釦を操作するので、このステップでは、操作部３７の再生釦に連動する再生スイッチがオンか否かを判定する。
【００４２】
ステップＳ９における判定の結果、再生スイッチがオンであった場合には、次に、再生動作を行う（Ｓ２３）。ここでは、記録媒体２５に記録されている画像信号を読み出し、撮影画像をＴＦＴ３３に再生する。この再生動作において、外光輝度が所定輝度よりも高輝度の場合には、ＴＦＴ３３における表示の際のガンマ補正にあたって、オフセット有りのガンマカーブを用いる。この再生動作の詳しい動作については、図４を用いて後述する。
【００４３】
ステップＳ９における判定の結果、再生スイッチがオンでなかった場合には、次に、１Ｒスイッチがオンか否かの判定を行う（Ｓ１１）。ユーザが撮影準備動作を行う場合には、操作部３７の内のレリーズ釦を半押しするので、このステップでは、レリーズ釦の半押し動作に連動する１Ｒスイッチがオンとなったか否かを判定する。
【００４４】
ステップＳ１１における判定の結果、１Ｒスイッチがオンとなった場合には、ＡＦ動作を実行する（Ｓ１３）。ＡＦ動作は、撮像センサ９によって取得された画像信号に基づく画像信号から高周波成分のみを抽出し、この高周波成分がピークとなるように、ＡＦ部３によって撮影レンズ１のピント位置を調節する。
【００４５】
ＡＦ動作を行うと、次に、２Ｒスイッチがオンか否かの判定を行う（Ｓ１５）。撮影準備動作の結果、ピントが合いユーザの意図する構図となると、ユーザはレリーズ釦を更に押し込み撮影動作を実行する。このステップでは、レリーズ釦の全押し動作に連動する２Ｒスイッチがオンとなったか否かを判定する。
【００４６】
ステップＳ１５における判定の結果、２Ｒスイッチがオンでなかった場合には、ステップＳ１１に戻る。一方、判定の結果、２Ｒスイッチがオンとなると、撮影動作を実行する（Ｓ１７）。ここでは、撮像センサ９によって取得した画像信号をＡ／Ｄ変換し、画像処理し、画像圧縮し、この圧縮処理された画像信号を記録媒体２５に記録する。
【００４７】
ステップＳ１７における撮影動作が終了すると、またはステップＳ１１における判定の結果、１Ｒスイッチがオンでなかった場合、またはステップＳ２３における再生動作を行うと、次に、ステップＳ１と同様に、パワースイッチがオンか否かの判定を行う（Ｓ１９）。ここでは、操作部３７の内のパワースイッチのオンオフ状態を検出して判定する。
【００４８】
ステップＳ１９における判定の結果、パワースイッチがオンであった場合には、ステップＳ７に戻る。一方、判定の結果、パワースイッチがオフであった場合には、電源オフ処理を行う（Ｓ２１）。電源オフ処理を行うと、ステップＳ３に戻り、スリープ状態に入る。
【００４９】
次に、ステップＳ７におけるライブビュー動作について、図３に示すフローチャートを用いて説明する。ライブビュー動作に入ると、まず、撮像動作を行う（Ｓ３１）。ここでは、撮像センサ９によって画像信号を取得する。
【００５０】
続いて、ＡＦ動作を行う（Ｓ３３）。ここでは、撮像センサ９によって取得された画像信号に基づく画像信号の中から高周波成分を抽出し、この抽出された高周波成分がピークとなるように、ＡＦ部３によって撮影レンズ１のピント合わせを行う。
【００５１】
ＡＦ動作を行うと、次に、測光動作を行う（Ｓ３５）。ここでは、撮像センサ９によって取得された画像信号に基づいて、被写体の輝度を求める。
【００５２】
測光動作を行うと、次に、画像処理を行う（Ｓ３７）。ここでは、撮像センサ９によって取得された画像信号に基づいて、画像処理部１５によってライブビュー表示用の画像信号に変換する。一般に撮像センサ９の画素数は、ライブビュー表示に必要な画素数よりも多いことから、このステップでの画像処理としては、画素数を減少させる等の処理を行う。
【００５３】
画像処理を行うと、次に、外光センサにて、１００，０００ｌｘ（ルクス）以上を検出したか否かの判定を行う（Ｓ３９）。ここでは、外光センサ３５にて測光を行い、この測光値が１００，０００ｌｘ以上であったか否かを判定する。なお、判定値１００，０００ｌｘは、後述するように表示用のＴＦＴ３３のガンマカーブをオフセット有りにするか否かを切り換えるための判定値であることから、ＴＦＴ３３の表示特性に応じて、適宜、設計値として決めればよい。
【００５４】
ステップＳ３９における判定の結果、外光センサ３５による外光輝度が１００，０００ｌｘよりも小さかった場合には、通常設定値ガンマカーブにて、液晶パネルに画像表示を行う（Ｓ９７）。このステップでは、通常行われるガンマ補正、すなわち、図５に示すように、入力階調に対して、出力階調が単調に増加するガンマカーブ６１（図中の破線）に従って画像信号をガンマ補正し、ＴＦＴ３３にライブビューの画像表示を行う。
【００５５】
一方、ステップＳ３９における判定の結果の結果、外光センサ３５による外光輝度が１００，０００ｌｘ以上であった場合には、ガンマカーブをオフセット有りに設定し（Ｓ９１）、設定したガンマカーブにて、液晶パネルに画像表示を行う（Ｓ９３）。ここでは、ガンマカーブとして、図５に示すように、オフセット有りのガンマカーブ６２（図中の実線）をセットし、このガンマカーブ６２に従って画像信号をガンマ補正し、ＴＦＴ３３にライブビューの画像表示を行う。
【００５６】
なお、このオフセット有りのガンマカーブ６２は、オフセットなしのガンマカーブ６１に対して、暗部側（図中で横軸の左側）を持ち上げるようにする。図５に示す例では、単純にガンマカーブ６１に対して、オフセット値だけ加算し、高入力値側は、飽和しているカーブとなっている。しかし、これに限らず、例えば、暗部側でオフセット値だけ加算し、高入力値側では、次第に、このオフセット値を減少させながらガンマカーブに加算、またはオフセット値を増加させながらガンマカーブに加算し、高入力値側が飽和状態となるようなオフセット有りのガンマカーブを決めるようにしてもよい。
【００５７】
液晶パネル（ＴＦＴ３３）に画像表示を行うと、次に、液晶パネルのバックライトの輝度を減灯する（Ｓ９５）。液晶制御部３１は、ＴＦＴ３３のバックライトの輝度を低下させ、消費電力の削減を図る。オフセット有りのガンマカーブを用いてガンマ補正を行っており、被写体像の内で暗い部分が明るくなることから、バックライトの輝度を低下させても十分視認することができるからである。
【００５８】
このように、ライブビュー動作のフローにおいては、外光が明る過ぎて、そのままではＴＦＴ３３の画面が見難い場合には、ガンマカーブをオフセット有りに変更し、ガンマ補正を行っている。このため、被写体像の内の暗い部分は、全体に明るくなることから、周囲が明る過ぎる場合でも、十分観察することができる。この場合、元々被写体像の内の明るい部分は飽和状態となっており白で表現されるが、周囲が明るいことから、違和感がない。
【００５９】
ステップＳ９５においてバックライトの減灯を行うと、またはＳ９７において液晶パネルに画像を表示すると、元のフローに戻る。
【００６０】
次に、ステップＳ２３の再生動作について、図４に示すフローチャートを用いて説明する。再生動作のフローに入ると、まず、選択画像を読み出し、画像処理を行う（Ｓ１０１）。再生動作では、最新の記録画像等を選択画像として、記録媒体２５から選択画像の画像信号を読み出し、圧縮伸張部２３において伸張処理を行った後、画像処理部１５において画像処理を行う。
【００６１】
画像の読出しと画像処理を行うと、次に、ステップＳ３９と同様に、外光センサにて１００，０００ｌｘ以上の外光輝度があるか否かを判定する（Ｓ１０３）。再生時にＴＦＴ３３近傍の外光輝度が明るすぎるか否かを判定する。
【００６２】
ステップＳ１０３における判定の結果、外光輝度が１００，０００ｌｘ以上なかった場合には、ステップＳ９７と同様に、通常設定値ガンマカーブにて、液晶パネルに画像表示を行う（Ｓ１６７）。ここでは、図５に示すガンマカーブ６１に従って、記録媒体２５から読み出した画像信号をガンマ補正し、ＴＦＴ３３に再生画像の表示を行う。
【００６３】
一方、ステップＳ１０３における判定の結果、外光輝度が１００，０００ｌｘ以上あった場合には、ガンマカーブをオフセット有りに設定し（Ｓ１６１）、設定したガンマカーブにて液晶パネルに画像表示を行う（Ｓ１６３）。外光輝度が１００，０００ｌｘ以上あることから、ＴＦＴ３３の近傍は明る過ぎて、そのままではＴＦＴ３３の画面を観察し難い。そこで、ライブビュー表示の場合と同様に、ガンマカーブをオフセット有りとして、画面を見易くする。すなわち、図５に示すような、オフセット有りのガンマカーブ６２に従って、画像信号のガンマ補正を行う。被写体像の内の暗い部分は、全体に明るくなることから、ＴＦＴ３３の周囲が明る過ぎる場合でも、十分観察することができる。
【００６４】
液晶パネル（ＴＦＴ３３）に再生画像の表示を行うと、次に、ステップＳ９５と同様に、液晶パネルのバックライトの輝度を減灯する（Ｓ１６５）。液晶制御部３１は、ＴＦＴ３３のバックライトの輝度を低下させ、消費電力の削減を図る。
【００６５】
ステップＳ１６５において、バックライトの輝度減灯を行うと、またはステップＳ１６７において、画像表示を行うと、次に、背面液晶の表示画像の切り替えが指示されたか否かの判定を行う（Ｓ１７１）。再生画像の切り替えは、本実施形態においては、十字キー等の操作によって行うことから、このステップでは、十字キー等が操作されたか否かを判定することによって行う。
【００６６】
ステップＳ１７１における判定の結果、表示画像の切り替え指示がなされていた場合には、ステップＳ１０１に戻り、切り替え指示に従って選択画像の読出しを行う。一方、判定の結果、表示画像の切り替え指示がなされていなかった場合には、次に、再生モードの終了操作がなされたか否かの判定を行う（Ｓ１７３）。再生モードの終了は、本実施形態においては、再度、再生釦を操作することにより行うので、このステップにおいては、再生釦が操作されたか否かに基づいて行う。
【００６７】
ステップＳ１７３における判定の結果、再生モードの終了操作がなされていなかった場合には、ステップＳ１０１に戻り、再生モードを続行する。一方、再生モードの終了操作がなされていた場合には、再生モードの終了処理を行った後、元のフローに戻る。
【００６８】
このように、再生動作のフローにおいては、ライブビュー動作の場合と同様に、再生時に、外光が明る過ぎて、そのままではＴＦＴ３３の画面が見難い場合には、ガンマカーブをオフセット有りに変更し、ガンマ補正を行っている。このため、被写体像の内の暗い部分は、全体に明るくなることから、周囲が明る過ぎる場合でも、十分観察することができる。この場合、元々被写体像の内の明るい部分は飽和状態となっており白で表現されるが、周囲が明るいことから、違和感がない。
【００６９】
以上説明したように、本発明の第１実施形態においては、撮像部や記録媒体からの画像信号に基づいて生成された表示画像信号、またはこの表示用画像信号に対してオフセット有りのガンマカーブを用いてガンマ補正した第２の表示用画像信号を生成し、外光輝度が予め決められた値よりも明るい場合には、第２の表示用画像信号に基づく画像を表示し、外光輝度が予め決められた値よりも暗い場合には表示用画像信号に基づく画像を表示している。このため、周囲が明る過ぎる場合であっても、画像表示部での視認性を向上させることができる。
【００７０】
次に、本発明の第２実施形態について、図６ないし図８を用いて説明する。第１実施形態においては、外光輝度が高輝度の場合に、ガンマカーブをオフセット有りに変更していたが、第２実施形態においては、外光輝度が高輝度という条件に加えて、画像のヒストグラムを求め、画素ごとの輝度が予め決めた値よりも暗い画素が多い場合に、ガンマカーブをオフセット有りに変更するようにしている。
【００７１】
本実施形態における電気回路の構成は、第１実施形態における図１に示したブロック図と同様であることから、詳しい説明を省略する。また、カメラパワーオンの動作も、図２に示したフローチャートと同様であることから、詳しい説明を省略する。しかし、ライブビュー動作と再生動作のフローチャートは、第１実施形態と異なることから、相違する点を中心に説明する。
【００７２】
図６に示すライブビュー動作のフローの内、ステップＳ３１〜Ｓ３９までと、ステップＳ９１〜Ｓ９７までの各ステップにおける処理は、図３に示した第１実施形態におけるライブビュー動作のフローと同様であることから、同一の処理を行うステップについては、同一のステップ番号を付与し、詳しい説明は省略する。
【００７３】
ライブビュー動作のフローに入り、撮像動作（Ｓ３１）、ＡＦ動作（Ｓ３３）、測光動作（Ｓ３５）、画像処理（Ｓ３７）を行い、ステップＳ３９における判定の結果、外光センサにて、１００，０００ｌｘ以上を検出すると、次に、液晶パネル表示画像のヒストグラムを算出する（Ｓ４１）。ここでは、撮像センサ９によって取得された画像信号に基づいて生成された表示用画像信号について、画素ごとのデータに基づいてヒストグラムを求める。ヒストグラムは、図８に示すように、横軸に画素の位置をとり、縦軸に各画素の信号出力、すなわち入力階調をとる。
【００７４】
ヒストグラムを算出すると、次に、ヒストグラムより、階調１３５以下の画素が画像内に５０％以上あるか否かの判定を行う（Ｓ４３）。本実施形態においては、各画素の入力階調（信号出力）は８ビットとしていることから、各画素の値は、最高値２５５と最低値０の間の中間にある。ここでは、その中間にある１３５を基準とし、この判定値より暗い画素の割合が５０％以上あるか否かを判定する。なお、階調１３５および５０％は例示であり、ＴＦＴ３３の特性を考慮の上、適宜、決めればよい。
【００７５】
ステップＳ４３における判定の結果、階調１３５以下の画素が画像内に５０％以上有る場合には、第１実施形態の場合と同様、ガンマカーブをオフセット有りに設定し（Ｓ９１）、設定したガンマカーブにて、液晶パネルに画像表示を行い（Ｓ９３）、液晶パネルのバックライトの輝度減灯を行う（Ｓ９５）。ステップＳ３９において、外光輝度が高輝度であると判定され、かつステップＳ４３において所定よりも暗い画素が半分以上あると判定されたことから、第１実施形態と同様に、ガンマカーブをオフセット有りに変更し、画像信号をガンマ補正することにより、外光が高輝度の場合であっても、見易い画面にする。
【００７６】
一方、ステップＳ３９における判定の結果、外光輝度が１００，０００ｌｘを越えず、またはステップＳ４３における判定の結果、階調１３５以下の画素が５０％以上なかった場合には、第１実施形態の場合と同様、通常設定値ガンマカーブにて液晶パネルに画像表示を行う（Ｓ９７）。この場合には、外光が高輝度ではないか、また高輝度であっても表示画像のヒストグラムからみて、被写体像の内、暗い部分が少ないことから、通常のガンマカーブでガンマ補正しても見難くなることがない。
【００７７】
ステップＳ９５において、液晶パネルのバックライトの輝度減灯を行うと、またはステップＳ９７において画像表示を行うと、元のフローに戻る。
【００７８】
次に、本実施形態における再生動作を、図７に示すフローチャートを用いて説明する。図７に示す再生動作のフローの内、ステップＳ１０１〜Ｓ１０３までと、ステップＳ１６１〜Ｓ１７３までの各ステップにおける処理は、図４に示した第１実施形態における再生動作のフローと同様であることから、同一の処理を行うステップについては、同一のステップ番号を付与し、詳しい説明は省略する。
【００７９】
再生動作のフローに入り、選択画像を読み出し、画像処理を行い（Ｓ１０１）、外光センサにて１００，０００ｌｘ以上を検出したか否かを判定する（Ｓ１０３）。この判定の結果、外光センサが１００，０００ｌｘ以上を検出すると、次に、液晶パネル表示画像のヒストグラムを算出する（Ｓ１１１）。ここでは、記録媒体２５から読み出された画像信号に基づいて生成された表示用画像信号について、画素ごとのデータに基づいてヒストグラムを求める。ヒストグラムは、前述の図８に示すように、横軸に画素の位置をとり、縦軸に各画素の信号出力（入力階調）をとる。
【００８０】
ヒストグラムを算出すると、次に、ステップＳ４３（図６参照）と同様に、ヒストグラムより、階調１３５以下の画素が画像内に５０％以上あるか否かの判定を行う（Ｓ１１３）。本実施形態においては、ライブビュー表示の場合と同様、再生表示の際にも、各画素の入力階調（信号出力）は８ビットであることから、各画素の値は、最高値２５５と最低値０の間の中間にあり、その中間にある１３５を基準とし、この判定値より暗い画素の割合が５０％以上あるか否かを判定する。なお、再生動作の場合でも、階調１３５および５０％は例示であり、ＴＦＴ３３の特性を考慮の上、適宜、決めればよい。
【００８１】
ステップＳ１１３における判定の結果、階調１３５以下の画素が画像内に５０％以上なかった場合、またはステップＳ１０３における判定の結果、外光輝度が１００，０００ｌｘ以上なかった場合には、ステップＳ９７と同様に、通常設定値ガンマカーブにて、液晶パネルに画像表示を行う（Ｓ１６７）。ここでは、図５に示すガンマカーブ６１に従って、記録媒体２５から読み出した画像信号をガンマ補正し、ＴＦＴ３３に再生画像の表示を行う。
【００８２】
一方、ステップＳ１１３における判定の結果、階調１３５以下の画素が画像内に５０％以上あった場合には、ガンマカーブをオフセット有りに設定し（Ｓ１６１）、設定したガンマカーブにて液晶パネルに画像表示を行う（Ｓ１６３）。外光輝度が１００，０００ｌｘ以上あり、かつ再生画像の内、暗い部分が半分以上あることから、再生画像が暗い割にＴＦＴ３３の近傍は明る過ぎて、そのままではＴＦＴ３３の画面を観察し難いことから、ライブビュー表示の場合と同様に、ガンマカーブをオフセット有りとして、画面を見易くする。
【００８３】
液晶パネルに再生画像の表示を行うと、次に、ステップＳ９５と同様に、液晶パネルのバックライトの輝度を減灯する（Ｓ１６５）。液晶制御部３１は、ＴＦＴ３３のバックライトの輝度を低下させ、消費電力の削減を図る。
【００８４】
ステップＳ１６５においてバックライトの輝度減灯を行うと、またはステップＳ１６７において、画像表示を行うと、次に、背面液晶の表示画像の切り替えを行うか否かの判定を行い（Ｓ１７１）、判定の結果、表示画像の切り替えを行う場合には、ステップＳ１０１に戻る。一方、表示画像の切り替えを行わない場合には、次に、再生モード終了操作が行われたか否かを判定する（Ｓ１７３）。判定の結果、終了操作が行われていない場合には、ステップＳ１０１に戻り、一方、終了操作が行われた場合には、再生動作の終了処理を行い、元のフローに戻る。
【００８５】
このように、本発明の第２実施形態においては、表示用画像を構成する画素信号の輝度分布のヒストグラムにおいて、所定輝度以下の画素が所定数を越える場合に所定以下の明度と判定している。このため、各画素の輝度分布に応じて正確な判定を行うことができ、高輝度時に画像表示部の視認性をさらに向上させることができる。
【００８６】
次に、本発明の第３実施形態について、図９および図１０を用いて説明する。第２実施形態においては、外光輝度が高輝度という条件に加えて、画像のヒストグラムを求め、画素ごとの輝度が予め決めた値よりも暗い画素が多い場合に、ガンマカーブをオフセット有りに変更するようにしていた。これに対して、第３実施形態においては、外光輝度が高輝度という条件に加えて、画像のヒストグラムの平均値を求め、この平均値が所定値よりも暗い場合に、ガンマカーブをオフセット有りに変更するようにしている。
【００８７】
本実施形態における電気回路の構成は、第１実施形態における図１に示したブロック図と同様であることから、詳しい説明を省略する。また、カメラパワーオンの動作も、図２に示したフローチャートと同様であることから、詳しい説明を省略する。しかし、ライブビュー動作と再生動作のフローチャートは、第１および第２実施形態と異なることから、相違する点を中心に説明する。
【００８８】
図９に示すライブビュー動作のフローの内、ステップＳ３１〜Ｓ３９までと、ステップＳ９１〜Ｓ９７までの各ステップにおける処理は、図３に示した第１実施形態におけるライブビュー動作のフローと同様であることから、同一の処理を行うステップについては、同一のステップ番号を付与し、詳しい説明は省略する。
【００８９】
ライブビュー動作のフローに入り、撮像動作（Ｓ３１）、ＡＦ動作（Ｓ３３）、測光動作（Ｓ３５）、画像処理（Ｓ３７）を行い、ステップＳ３９における判定の結果、外光センサにて、１００，０００ｌｘ以上を検出すると、次に、ステップＳ４１（図６参照）と同様に、液晶パネル表示画像のヒストグラムを算出する（Ｓ５１）。ここでは、図８に示したグラフと同様にしてヒストグラムを求める。
【００９０】
ヒストグラムを算出すると、次に、ヒストグラムより、入力階調の平均値を算出する（Ｓ５３）。ここでは、対象領域の全画素の入力階調（信号出力）の全加算値を、全画素数で除算することにより、平均値を算出する。
【００９１】
入力階調の平均値を算出すると、次に、ヒストグラムの平均値が階調１３５以下であるか否かの判定を行う（Ｓ５５）。本実施形態においては、各画素の入力階調（信号出力）は８ビットとしていることから、各画素の値は、最高値２５５と最低値０の間の中間にある。ここでは、その中間にある１３５を基準とし、この判定値より、ヒストグラムの平均値が小さいか否かを判定する。なお、階調１３５は例示であり、ＴＦＴ３３の特性を考慮の上、適宜、決めればよい。
【００９２】
ステップＳ５５における判定の結果、ヒストグラムの平均値が階調１３５以下であった場合には、第１および第２実施形態の場合と同様、ガンマカーブをオフセット有りに設定し（Ｓ９１）、設定したガンマカーブにて、液晶パネルに画像表示を行い（Ｓ９３）、液晶パネルのバックライトの輝度減灯を行う（Ｓ９５）。
【００９３】
一方、ステップＳ３９における判定の結果、外光輝度が１００，０００ｌｘを越えず、またはステップＳ５５における判定の結果、平均値が階調１３５よりも大きかった場合には、第１および第２実施形態の場合と同様、通常設定値ガンマカーブにて液晶パネルに画像表示を行う（Ｓ９７）。この場合には、外光が高輝度ではないか、また高輝度であっても表示画像のヒストグラムからみて、被写体像の内、暗い部分が少ないことから、通常のガンマカーブでガンマ補正しても見難くなることがない。
【００９４】
ステップＳ９５において、液晶パネルのバックライトの輝度減灯を行うと、またはステップＳ９７において画像表示を行うと、元のフローに戻る。
【００９５】
次に、本実施形態における再生動作を、図１０に示すフローチャートを用いて説明する。図１０に示す再生動作のフローの内、ステップＳ１０１〜Ｓ１０３までと、ステップＳ１６１〜Ｓ１７３までの各ステップにおける処理は、図４に示した第１実施形態における再生動作のフローと同様であることから、同一の処理を行うステップについては、同一のステップ番号を付与し、詳しい説明は省略する。
【００９６】
再生動作のフローに入り、選択画像を読み出し、画像処理を行い（Ｓ１０１）、外光センサにて１００，０００ｌｘ以上を検出したか否かを判定する（Ｓ１０３）。この判定の結果、外光センサが１００，０００ｌｘ以上を検出すると、次に、ステップＳ１１１（図７参照）と同様に、液晶パネル表示画像のヒストグラムを算出する（Ｓ１２１）。
【００９７】
ヒストグラムを算出すると、次に、ステップＳ５３（図９参照）と同様に、ヒストグラムより、階調の平均値を算出する（Ｓ１２３）。ヒストグラムの平均値を求めると、次に、ステップＳ５５と同様に、平均値が階調１３５以下であるか否かの判定を行う（Ｓ１２５）。
【００９８】
ステップＳ１２５における判定の結果、ヒストグラムの平均値が階調１３５よりも大きかった場合、またはステップＳ１０３における判定の結果、外光輝度が１００，０００ｌｘ以上なかった場合には、ステップＳ９７と同様に、通常設定値ガンマカーブにて、液晶パネルに画像表示を行う（Ｓ１６７）。ここでは、図５に示すガンマカーブ６１に従って、記録媒体２５から読み出した画像信号をガンマ補正し、ＴＦＴ３３に再生画像の表示を行う。
【００９９】
一方、ステップＳ１２５における判定の結果、ヒストグラムの平均値が階調１３５以下であった場合には、ガンマカーブをオフセット有りに設定し（Ｓ１６１）、設定したガンマカーブにて液晶パネルに画像表示を行う（Ｓ１６３）。この場合には、ガンマカーブをオフセット有りとして、画面を見易くする。
【０１００】
液晶パネル（ＴＦＴ３３）に再生画像の表示を行うと、次に、次に、ステップＳ９５と同様に、液晶パネルのバックライトの輝度を減灯する（Ｓ１６５）。液晶制御部３１は、ＴＦＴ３３のバックライトの輝度を低下させ、消費電力の削減を図る。
【０１０１】
ステップＳ１６５においてバックライトの輝度減灯を行うと、またはステップＳ１６７において、画像表示を行うと、次に、背面液晶の表示画像の切り替えを行うか否かの判定を行い（Ｓ１７１）、判定の結果、切り替えを行わない場合には、ステップＳ１０１に戻る。一方、判定の結果、表示画像の切り替えを行う場合には、次に、再生モード終了操作が行われたか否かを判定する（Ｓ１７３）。判定の結果、終了操作が行われていなかった場合には、ステップＳ１０１に戻り、一方、終了操作が行われた場合には、再生動作の終了処理を行い、元のフローに戻る。
【０１０２】
このように、本発明の第３実施形態においては、表示用画像を構成する画素信号の輝度分布のヒストグラムにおいて、表示画像の階調の平均値を求め、この平均値が所定値以上であった場合に所定以上の明度と判定している。このため、各画素の輝度分布の平均に応じて正確な判定を行うことができ、高輝度時に画像表示部の視認性をさらに向上させることができる。
【０１０３】
次に、本発明の第４実施形態について、図１１および図１２を用いて説明する。第３実施形態においては、外光輝度が高輝度という条件に加えて、全画面の画像のヒストグラムを求め、階調の平均値が予め決めた値よりも暗い多い場合に、ガンマカーブをオフセット有りに変更するようにしていた。これに対して、第４実施形態においては、外光輝度が高輝度という条件に加えて、顔認識されたエリアのヒストグラムを算出し、この顔認識エリア内に、階調１３５以下の画素が画像内に５０％以上あるような暗い場合に、ガンマカーブのオフセットを行うようにしている。
【０１０４】
本実施形態における電気回路の構成は、第１実施形態における図１に示したブロック図と同様であることから、詳しい説明を省略する。また、カメラパワーオンの動作も、図２に示したフローチャートと同様であることから、詳しい説明を省略する。しかし、ライブビュー動作と再生動作のフローチャートは、第１ないし第３実施形態と異なることから、相違する点を中心に説明する。
【０１０５】
図１１に示すライブビュー動作のフローの内、ステップＳ３１〜Ｓ３９までと、ステップＳ９１〜Ｓ９７までの各ステップにおける処理は、図３に示した第１実施形態におけるライブビュー動作のフローと同様であることから、同一の処理を行うステップについては、同一のステップ番号を付与し、詳しい説明は省略する。
【０１０６】
ライブビュー動作のフローに入ると、ステップＳ３１からＳ３９までは図３、図６、および図９に示したフローチャートと同様であることから説明を省略する。ステップＳ３９における判定の結果、外光センサにて１００，０００ｌｘ以上を検出した場合には、次に、顔認識ありか否かの判定を行う（Ｓ６１）。顔検出部１７が画像処理部１５によって処理された画像信号に基づいて、被写体像の中に顔が存在するかを検出し、顔が存在した場合にはその位置と大きさを検出する。そこで、このステップ６１では、顔検出部１７による検出結果に基づいて判定する。
【０１０７】
ステップＳ６１における判定の結果、顔認識があった場合には、次に、顔認識エリアのヒストグラムを算出する（Ｓ６３）。ここでは、顔認識エリアについて、図８に示したヒストグラムと同様に、ヒストグラムを算出する。
【０１０８】
顔認識エリアについて、ヒストグラムを算出すると、次に、ヒストグラムより、階調１３５以下の画素が画像内に５０％以上あるか否かの判定を行う（Ｓ６５）。ここでは、ステップＳ６３において算出した顔認識エリア内におけるヒストグラムの中で、階調１３５以下の画素を検出し、これが顔認識エリアの画素の内で５０％以上あるかを判定する。階調１３５の意義は第２実施形態におけるステップＳ１１３と同様である（後述する第３〜第５実施形態においても同様）。なお、本実施形態においても、階調１３５および５０％は例示であり、ＴＦＴ３３の特性に応じて、適宜、決定すればよい。
【０１０９】
ステップＳ６５における判定の結果、階調１３５以下の画素が画像内に５０％以上なかった場合、またはステップＳ３９における判定の結果、外光センサにて１００，０００ｌｘ以上でなかった場合には、通常設定値ガンマカーブにて、液晶パネルに画像表示を行う（Ｓ９７）。
【０１１０】
一方、ステップＳ６５における判定の結果、階調１３５以下の画素が５０％以上有る場合には、オフセット有りのガンマカーブでガンマ補正等を行うためのステップＳ９１、Ｓ９３、Ｓ９５を実行するが、これらのステップにおける処理は、図３、図６、および図９における処理と同様であることから、詳しい説明を省略する。ステップＳ９５またはＳ９７における処理を行うと、元のフローに戻る。
【０１１１】
次に、本実施形態における再生動作について、図１２に示すフローチャートを用いて説明する。再生動作のフローに入ると、ステップＳ１０１からＳ１０３までは図４、図７、および図１０に示したフローチャートと同様であることから説明を省略する。ステップＳ１０３における判定の結果、外光センサにて１００，０００ｌｘ以上を検出した場合には、次に、顔認識ありか否かの判定を行う（Ｓ１３１）。ステップＳ１７における撮影動作（図２参照）において、画像信号の記録の際に、顔認識結果を併せて記録されている場合には、この記録結果を利用すればよい。このような顔認識結果の記録がなされていない場合には、記録媒体２５から読み出した画像信号に基づいて、顔検出部１７が顔認識を行うようにしてもよい。
【０１１２】
ステップＳ１３１における判定の結果、顔認識があった場合には、次に、顔認識エリアのヒストグラムを算出する（Ｓ１３３）。ここでは、記録媒体２５から読み出された画像信号の内、ステップＳ１３１において、顔認識エリアと判定されたエリア内の画像信号を用いて、図８と同様に、顔認識エリアのヒストグラムを算出する。
【０１１３】
顔認識エリアのヒストグラムを算出すると、次に、ステップＳ６５（図１１参照）と同様に、ヒストグラムより、階調１３５以下の画素が顔認識エリアの画像の内に５０％以上あるか否かの判定を行う（Ｓ１３５）。この判定の結果、階調１３５以下の画素がエリア内に５０％以上あった場合には、ステップＳ１６１〜Ｓ１６５を実行する。これらの処理は、図４、図７、および図１０に示したフローチャートと同様であることから説明を省略する。
【０１１４】
一方、ステップＳ１３５における判定の結果、階調１３５以下の画素がエリア内に５０％以上なかった場合には、またはステップＳ１３１における判定の結果、顔認識されなかった場合、またはステップＳ１０３における判定の結果、外光センサにて１００，０００ｌｘ以上を検出しなかった場合には、通常設定値ガンマカーブにて、液晶パネルに画像表示を行う（Ｓ１６７）。
【０１１５】
ステップＳ１６５において、バックライトの輝度減灯を行うと、またはステップＳ１６７において通常設定値ガンマカーブにて液晶パネルに画像表示を行うと、次に、ステップＳ１７１、Ｓ１７３における判定を行う。これらの判定は、図４、図７、および図１０に示したフローチャートと同様であることから説明を省略する。ステップＳ１７３における判定の結果、再生モード終了操作が有った場合には、再生動作の処理を終了し、元のフローに戻る。
【０１１６】
以上、説明したように、本発明の第４実施形態においては、表示用画像のうち顔検出部１７により検出された顔領域を構成する画素信号の輝度分布のヒストグラムにて所定輝度以下が所定数を越える場合に、所定明度以下と判定し、この場合には、ガンマカーブをオフセットし、このオフセットしたガンマカーブを用いて画像信号のガンマ補正を行っている。このため、顔認識エリアに対して正確な判定を行うことができ、高輝度時に画像表示部の視認性をさらに向上させることができる。一般に、人物が主要被写体となることが多く、本実施形態によれば、人物の顔の部分を観察することが容易となる。
【０１１７】
なお、本実施形態においては、顔認識エリアの階調１３５以下の画素が５０％以上有るか否かを判定した。しかし、これに限らず、顔認識エリアの平均階調が所定値（例えば、階調１３５）以下であるか否かを判定するようにしても勿論かまわない。
【０１１８】
次に、本発明の第５実施形態について、図１３および図１４を用いて説明する。第４実施形態においては、外光輝度が高輝度という条件に加えて、顔認識エリアのヒストグラムを求め、階調１３５以下の画素が５０％以上有った暗い多い場合に、ガンマカーブをオフセット有りに変更するようにしていた。これに対して、第５実施形態においては、外光輝度が高輝度という条件に加えて、フォーカスエリアのヒストグラムを算出し、このフォーカスエリア内に、階調１３５以下の画素が５０％以上あるような暗い場合に、ガンマカーブのオフセットを行うようにしている。
【０１１９】
本実施形態における電気回路の構成は、第１実施形態における図１に示したブロック図と同様であることから、詳しい説明を省略する。また、カメラパワーオンの動作も、図２に示したフローチャートと同様であることから、詳しい説明を省略する。しかし、ライブビュー動作と再生動作のフローチャートは、第１ないし第４実施形態と異なることから、相違する点を中心に説明する。
【０１２０】
図１３に示すライブビュー動作のフローの内、ステップＳ３１〜Ｓ３９までと、ステップＳ９１〜Ｓ９７までの各ステップにおける処理は、図３に示した第１実施形態におけるライブビュー動作のフローと同様であることから、同一の処理を行うステップについては、同一のステップ番号を付与し、詳しい説明は省略する。
【０１２１】
ライブビュー動作のフローに入ると、ステップＳ３１からＳ３９までは図３、図６、図９、および図１１に示したフローチャートと同様であることから説明を省略する。ステップＳ３９における判定の結果、外光センサにて１００，０００ｌｘ以上を検出した場合には、次に、フォーカスエリアのヒストグラムを算出する（Ｓ７１）。
【０１２２】
フォーカスエリアは、フォーカスエリアが１つしかないカメラでは、このフォーカスエリアの画像信号に基づいてヒストグラムを算出する。また複数のフォーカスエリアが設けられているカメラの場合には、ステップＳ７１において、ピント合わせに採用されたフォーカスエリアの画像信号に基づいて、ヒストグラムを算出する。なお、複数のフォーカスエリアを有する場合、ピント合わせに使用するのは、例えば、最至近の被写体や、顔認識されたエリア等である。
【０１２３】
フォーカスエリアのヒストグラムを算出すると、次に、ヒストグラムより、階調１３５以下の画素が画像内に５０％以上あるか否かを判定する（Ｓ７３）。ここでは、ステップＳ７１において算出されたヒストグラムを用いて、フォーカスエリア内の画素の内、階調１３５以下の画素が画像内に５０％以上あるか否かを判定する。
【０１２４】
ステップＳ７３における判定の結果、階調１３５以下の画素が画像内に５０％以上なかった場合、またはステップＳ３９における判定の結果、外光センサにて１００，０００ｌｘ以上なかった場合には、通常設定値ガンマカーブにて、液晶パネルに画像表示を行う（Ｓ９７）。
【０１２５】
一方、ステップＳ７３における判定の結果、階調１３５以下の画素が画像内に５０％以上有った場合には、ステップＳ９１、Ｓ９３、Ｓ９５を実行するが、これらのステップにおける処理は、図３、図６、図９、および図１１における処理と同様であることから、詳しい説明を省略する。ステップＳ９５またはＳ９７における処理を行うと、元のフローに戻る。
【０１２６】
次に、本実施形態における再生動作について、図１４に示すフローチャートを用いて説明する。再生動作のフローに入ると、ステップＳ１０１からＳ１０３までは図４、図７、および図１０に示したフローチャートと同様であることから説明を省略する。ステップＳ１０３における判定の結果、外光センサにて１００，０００ｌｘ以上を検出した場合には、次に、フォーカスエリアのヒストグラムを算出する（Ｓ１４１）。
【０１２７】
ステップＳ１４１におけるフォーカスエリアは、ステップＳ１７（図２参照）において、ＡＦ部３が撮影動作時にピント合わせを行った領域に関する情報を、画像信号と一緒に記録し、この時の情報を用いて判定する。フォーカスエリアが決まると、このエリアの画像信号を用いて、図８と同様に、ヒストグラムを算出する。
【０１２８】
フォーカスエリアのヒストグラムを算出すると、次に、ヒストグラムより、階調１３５以下の画素が画像内に５０％以上あるか否かの判定を行う（Ｓ１４３）。ここでは、ステップＳ１４１において算出されたヒストグラムを用いて、フォーカスエリア内の画素の内、階調１３５以下の画素が画像内に５０％以上あるか否かを判定する。
【０１２９】
ステップＳ１４３における判定の結果、階調１３５以下の画素がフォーカスエリアの画像内の５０％以上ない場合には、またはステップＳ１０３における判定の結果、外光センサにて１００，０００ｌｘ以上を検出しなかった場合には、通常設定値ガンマカーブにて、液晶パネルに画像表示を行う（Ｓ１６７）。
【０１３０】
一方、ステップＳ１４３における判定の結果、階調１３５以下の画素がフォーカスエリアの画像内の５０％以上ある場合には、ステップＳ１６１〜Ｓ１６５を実行する。これらの処理は、図４、図７、図１０、および図１２に示したフローチャートと同様であることから説明を省略する。
【０１３１】
ステップＳ１６５において、バックライトの輝度減灯を行うと、またはステップＳ１６７において通常設定値ガンマカーブにて液晶パネルに画像表示を行うと、次に、ステップＳ１７１、Ｓ１７３における判定を行う。これらの判定は、図４、図７、図１０、および図１２に示したフローチャートと同様であることから説明を省略する。ステップＳ１７３における判定の結果、再生モード終了操作が有った場合には、再生動作の処理を終了し、元のフローに戻る。
【０１３２】
以上、説明したように、本発明の第５実施形態においては、表示用画像のうちＡＦ部３により設定されたフォーカス領域を構成する画素信号の輝度分布のヒストグラムにて所定輝度以下が所定数を越える場合に、所定明度以下と判定する。この場合には、オフセット有りのガンマカーブを用いて画像信号のガンマ補正を行っている。このため、フォーカスエリアに対して正確な判定を行うことができ、高輝度時に画像表示部の視認性をさらに向上させることができる。一般に、フォーカスエリアとされたエリアに主要被写体がある場合が多く、本実施形態によれば、主要被写体の部分を観察することが容易となる。
【０１３３】
なお、本実施形態においては、フォーカスエリアの階調１３５以下の画素が５０％以上有るか否かを判定した。しかし、これに限らず、フォーカスエリアの平均階調が所定値（例えば、階調１３５）以下であるか否かを判定するようにしても勿論かまわない。
【０１３４】
次に、本発明の第６実施形態について、図１５ないし図１７を用いて説明する。第１ないし第５実施形態においては、表示部としてＴＦＴ３３を用いた例を説明した。これに対して、第６実施形態においては、表示部として有機ＥＬ（有機発光ダイオード、ＯＬＥＤ（Organic light-emitting diode）とも言う）を用いた例である。
【０１３５】
図１５は、本実施形態に係るカメラの電気系を主とする全体構成を示すブロック図である。本実施形態における回路構成は、図１に示した第１実施形態における回路構成と比較し、第１実施形態においては、液晶制御部２７，２９、ＥＶＦ２９、ＴＦＴ３３を備えているのに対して、本実施形態においては、有機ＥＬ制御部５１および有機ＥＬ５３を備えている点において相違する。したがって、これらの相違点について、詳しく説明し、共通する素子については説明を省略する。なお、図１５のブロック図においては、電源電池５５および電源制御部５７が描かれているが、これらは、図１のブロック図においても備えられているものであり、便宜上省略されていた回路素子である。
【０１３６】
有機ＥＬ制御部５１は、バッファメモリ１９および記録媒体２５に接続されており、バッファメモリ１９に一時記憶されたライブビュー画像やメニュー画像の画像信号、および記録媒体２５から読み出された撮影画像の画像信号を入力し、有機ＥＬ５３に画像表示させるための制御を行う。有機ＥＬ５３は、ＴＦＴ３３と同様、カメラの背面等に配置され、接眼部を通すことなく、直接、ユーザが画像を観察することができる。なお、本実施形態においては、ＥＶＦは設けてないが、第１実施形態と同様に、液晶によるＥＶＦを設けてもよく、また有機ＥＬによってＥＶＦを構成するようにしてもよい。
【０１３７】
電源電池５５は、カメラ本体に装填可能な電池であり、電源制御部５７に接続されている。電源制御部５７は、電源電池５５から供給される電力を制御し、カメラ内の有機ＥＬ制御部５１、有機ＥＬ５３等の各素子に電源供給を行う。また、電源制御部５７は、システムコントローラ４１に接続されており、システムコントローラ４１に指示に従って電源制御を行う。また、電源制御部５７は、有機ＥＬ５３等に供給している消費電力量を検知することができる。
【０１３８】
次に、本実施形態における動作について、図１６および図１７に示すフローチャートを用いて説明する。ここで、カメラパワーオンの動作は、図２に示した第１実施形態のフローチャートと同様であることから、詳しい説明を省略する。ライブビュー動作と再生動作のフローチャートは、第１実施形態と異なることから、相違する点を中心に説明する。
【０１３９】
まず、図１６を用いて、ライブビュー動作について説明する。示すライブビュー動作のフローに入り、最初のステップＳ３１ないしステップＳ３７は、図３に示した第１実施形態のフローチャートと同様であることから、詳しい説明を省略する。ステップＳ３７において画像処理を行うと、次に、通常設定値ガンマカーブにて、有機ＥＬパネルに画像表示を行う（Ｓ３８）。ここでは、まず、ライブビュー画像を有機ＥＬ５３に表示する。ここでは、ガンマカーブとして、図５に示すように、オフセットなしのガンマカーブ６１（図中の破線）を設定し、このガンマカーブ６１に従って画像信号をガンマ補正し、有機ＥＬ５３にライブビューの画像表示を行う。有機ＥＬ５３にライブビュー表示を行うと、次に、外光センサにて１００，０００ｌｘ以上を検出するか否かの判定を行う（Ｓ３９）。
【０１４０】
ステップＳ３９における判定の結果、外光センサにて１００，０００ｌｘ以上を検出すると、次に、有機ＥＬの消費電流が規定値以下か否かの判定を行う（Ｓ８１）。第２実施形態ないし第５実施形態においては、表示画像のヒストグラムを算出し、このヒストグラムに基づいて、被写体像の中で暗い部分が多いか否かを判定していたが、本実施形態においては、ヒストグラムを算出せずに、有機ＥＬの消費電流に基づいて、被写体像の中に暗い部分が多いかを判定する。有機ＥＬは、被写体像の中に明るい部分が多く、画面が明るいと消費電流が大きくなり、一方、被写体像の中に暗い部分が多く、画面が暗くなると消費電流が小さくなる。そこで、本実施形態においては、電源制御部５７によって有機ＥＬの消費電流を検知し、この検知した消費電流に基づいて、有機ＥＬ５３の画面の明るさを判定している。従って、規定値としては、有機ＥＬ５３の特性を考慮して、適宜、設計値として決定すればよい。
【０１４１】
ステップＳ８１における判定の結果、有機ＥＬの消費電流が規定値以下であった場合には、次に、ガンマカーブをオフセット有りに設定し（Ｓ９１）、設定したガンマカーブにて、有機ＥＬパネルに画像を表示する（Ｓ９９）。ここでは、ガンマカーブとして、図５に示すように、オフセットしたガンマカーブ６２（図中の実線）を設定し、このガンマカーブ６２に従って画像信号をガンマ補正し、有機ＥＬ５３にライブビューの画像表示を行う。
【０１４２】
ステップＳ９９において有機ＥＬパネルに画像表示を行うと、またはステップＳ８１における判定の結果、有機ＥＬの消費電流が規定値より多かった場合、またはステップＳ３９における判定の結果、外光センサにて１００，０００ｌｘ以上を検出しなかった場合には、元のフローに戻る。
【０１４３】
次に、図１７を用いて、再生動作について説明する。再生動作のフローに入り、最初のステップＳ１０１は、図４に示した第１実施形態のフローチャートと同様であることから、詳しい説明を省略する。ステップＳ１０１において選択画像の読出しと画像処理を行うと、次に、通常設定値ガンマカーブにて、有機ＥＬパネルに画像表示を行う（Ｓ１０２）。ここでは、ステップＳ３８と同様に、オフセットなしのガンマカーブ６１を設定し、このガンマカーブ６１に従って、記録媒体２５から読み出した撮影画像の画像信号をガンマ補正し、再生画像として有機ＥＬ５３に表示する。有機ＥＬパネルに画像表示を行うと、外光センサにて１００，０００ｌｘ以上を検出したか否かを判定する（Ｓ１０３）。
【０１４４】
ステップＳ１０３における判定の結果、外光センサにて１００，０００ｌｘ以上を検出すると、次に、ステップＳ８１と同様に、有機ＥＬの消費電流が規定値以下か否かの判定を行う（Ｓ１５１）。前述したように、有機ＥＬの消費電流は、画面の明るさに依存することから、このステップでは、電源制御部５７によって有機ＥＬの消費電流を検知し、この検知した消費電流に基づいて、有機ＥＬ５３の画面の明るさを判定している。
【０１４５】
ステップＳ１５１における判定の結果、有機ＥＬの消費電流が規定値以下であった場合には、次に、ガンマカーブをオフセット有りに設定し（Ｓ１６１）、設定したガンマカーブにて、有機ＥＬパネルに画像を表示する（Ｓ１６３）。ここでは、ガンマカーブとして、図５に示すように、オフセットしたガンマカーブ６２（図中の実線）を設定し、このガンマカーブ６２に従って画像信号をガンマ補正し、有機ＥＬ５３に再生画像の表示を行う。
【０１４６】
ステップＳ１６４において、有機ＥＬパネルに画像表示を行うと、またはステップＳ１５１における判定の結果、有機ＥＬの消費電流が規定値より大きいと、またはステップＳ１０３における判定の結果、外光センサにて１００，０００ｌｘ以上を検出しなかった場合には、次に、背面有機ＥＬの表示画像の切り替えが指示されたか否かの判定を行う（Ｓ１７２）。再生画像の切り替えは、本実施形態においても、十字キー等の操作によって行うことから、このステップでは、十字キー等が操作されたか否かを判定することによって行う。
【０１４７】
ステップＳ１７２における判定の結果、表示画像の切り替え指示がなされていた場合には、ステップＳ１０１に戻る。一方、判定の結果、表示画像の切り替え指示がなされていなかった場合には、次に、再生モードの終了操作がなされたか否かの判定を行う（Ｓ１７３）。再生モードの終了は、本実施形態においても、再度、再生釦を操作することにより行うので、このステップにおいては、再生釦が操作されたか否かに基づいて行う。一方、この判定の結果、再生モードの終了操作が有った場合には、元のフローに戻る。
【０１４８】
このように、第６実施形態においては、ライブビュー画像や再生画像を表示する表示部として、有機ＥＬを採用し、有機ＥＬの消費電流が規定値より少なかった場合に、ガンマカーブをオフセットし、ガンマ補正を行うようにしている。このため、本実施形態においても、周囲が明る過ぎる場合であっても、画像表示部での視認性を向上させることができる。また、本実施形態においては、ヒストグラムを算出せずに、有機ＥＬの消費電流を検知することによって、画面の明るさを検知できるので、処理が容易である。
【０１４９】
なお、本実施形態においては、ＥＶＦ２９を省略したが、勿論、有機ＥＬ５３とともに、ＥＶＦ２９を設けて、ファインダを通して画像を観察できるようにしてもよい。
【０１５０】
以上説明したように、本発明の各実施形態においては、外光の輝度を検出して、外光輝度が所定輝度以上であるかを判定し、外光輝度が所定輝度以上と判定された場合は、表示用画像信号に対してガンマカーブをオフセットして第２の表示用画像を生成し表示するようにしている。このため、高輝度時に画像表示部の視認性を向上させることが可能となる。
【０１５１】
なお、本発明の各実施形態においては、ＴＦＴ３３および有機ＥＬ５３に対して、外光輝度が高輝度の場合に、オフセット有りのガンマカーブを用いてガンマ補正を行っていた。しかし、これに限らず、ＥＶＦ２９に対しても同様にガンマ補正を行うようにしても良い。これにより、画像処理部１５におけるガンマ補正を共通にすることができ、画像処理が簡単になる。
【０１５２】
また、本発明の各実施形態においては、撮影機能および表示機能の両方を有するカメラに適用した例で説明した。しかし、これに限らず、撮影機能を有さず、表示機能のみを有する画像表示装置に本発明を適用しても良いことは勿論である。
【０１５３】
また、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１５４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１５５】
１・・・撮影レンズ、３・・・ＡＦ部、５・・・絞り、７・・・シャッタ、９・・・撮像センサ、１１・・・撮像回路、１３・・・Ａ／Ｄ変換、１５・・・画像処理部、１７・・・顔検出部、１９・・・バッファメモリ、２１・・・メニュー画像記録部、２３・・・圧縮伸張部、２５・・・記録媒体、２７・・・液晶制御部、２９・・・ＥＶＦ、３１・・・液晶制御部、３３・・・ＴＦＴ、３５・・・外光センサ、３７・・・操作部、４１・・・システムコントローラ、５１・・・有機ＥＬ制御部、５３・・・有機ＥＬ、５５・・・電源電池、５７・・・電源制御部、６１・・・ガンマカーブ、６２・・・ガンマカーブ
【図１】
0005669474.tif 000002
【図２】
0005669474.tif 000003
【図３】
0005669474.tif 000004
【図４】
0005669474.tif 000005
【図５】
0005669474.tif 000006
【図６】
0005669474.tif 000007
【図７】
0005669474.tif 000008
【図８】
0005669474.tif 000009
【図９】
0005669474.tif 000010
【図１０】
0005669474.tif 000011
【図１１】
0005669474.tif 000012
【図１２】
0005669474.tif 000013
【図１３】
0005669474.tif 000014
【図１４】
0005669474.tif 000015
【図１５】
0005669474.tif 000016
【図１６】
0005669474.tif 000017
【図１７】
0005669474.tif 000018